(57)【要約】【課題】２次元コードに商品の情報を格納させることによって、携帯端末を使用して商品のポイントを貯蓄することができると共に、２次元コード提供者は販売状況の情報を管理することができる情報管理システムの提供。【解決手段】情報を管理する管理サーバと、２次元コードの情報を管理サーバへ送信する携帯端末と、２次元コードを提供する提供者が有する提供者サーバと、管理サーバから構成され、管理サーバが、受信した情報を所定の規則に従って処理を行う情報処理手段と、処理された情報を保存する情報保存手段と、携帯端末からの要求に応じて保存された情報を選択し携帯端末へ送信する第１処理情報送信手段とを有する一方で、２次元コードを提供する提供者が有する提供者サーバに対して、提供者サーバからの要求に応じて保存された情報を選択し提供者サーバへ送信する第２処理情報送信手段とを有することを特徴とする。【選択図】  図１
2004318203.tif 000002
【特許請求の範囲】
【請求項１】
２次元コードを利用した情報管理システムであって、情報を管理する管理サーバと、前記２次元コードの情報を該管理サーバへ送信する携帯端末と、該２次元コードを提供する提供者が有する提供者サーバと、該管理サーバ、該携帯端末と該提供者サーバを接続する通信ネットワークから構成され、
前記管理サーバが、
該携帯端末から送信される２次元コードからデコードされた情報を受信する２次元コード情報受信手段と、
前記２次元コード情報受信手段に於いて受信した前記情報を所定の規則に従って処理を行う情報処理手段と、
前記情報処理手段に於いて処理された情報を保存する情報保存手段と、
前記携帯端末から送信される要求を受信する携帯端末要求受信手段と、
前記携帯端末要求受信手段に於いて、受信された前記携帯端末からの要求に応じて、前記情報保存手段に於いて保存された情報を選択し該携帯端末へ送信する第１処理情報送信手段とを有する一方で、
前記２次元コードを提供する提供者が有する提供者サーバに対して、
前記提供者サーバから送信される前記管理サーバに対する要求を受信する提供者サーバ要求受信手段と、
前記提供者サーバ要求受信手段に於いて、受信された前記提供者サーバからの要求に応じて、前記情報保存手段に於いて保存された情報を選択し該提供者サーバへ送信する第２処理情報送信手段とを有する
ことを特徴とする２次元コードを利用した情報管理システム。
【請求項２】
前記管理サーバは、前記情報処理手段に於いて処理された情報を判定し、所定条件を満たす情報を送信した前記携帯端末へ特定情報を送信する判定送信手段を有することを特徴とする請求項１記載の２次元コードを利用した情報管理システム。
【請求項３】
前記管理サーバは、該管理サーバが受信した２次元コードの情報の使用可否を判定する適応判定手段を有していることを特徴とする請求項１又は２に記載の２次元コードを利用した情報管理システム。
【請求項４】
前記管理サーバは、前記管理サーバが受信した２次元コードの情報を再度受信した際に、再度受信した情報を無効にする正誤判定手段を有していることを特徴とする請求項１乃至３いずれかに記載の２次元コードを利用した情報管理システム。
【請求項５】
前記管理サーバは、前記携帯端末の該管理サーバへアクセスすることによって、前記携帯端末から２次元コードからデコードされた情報を送信することを可能にする送信手段が送信されることを特徴とする請求項１乃至４いずれかに記載の２次元コードを利用した情報管理システム。
【請求項６】
前記携帯端末がカメラ付き携帯電話器であることを特徴とする請求項１乃至５いずれかに記載の２次元コードを利用した情報管理システム。
【請求項７】
前記２次元コードが保存する情報は、該２次元コードを提供する提供者を識別することを可能にする識別番号と、該２次元コードが付与されている物を識別する商品番号と、前記正誤判定手段に於いて使用される認証番号と、該物に対するポイント情報を有することを特徴とする請求項１乃至６いずれかに記載の２次元コードを利用した情報管理システム。
【請求項８】
前記２次元コードが保存する情報は、前記適応判定手段に於いて使用される適応番号を有することを特徴とする請求項１乃至７いずれかに記載の２次元コードを利用した情報管理システム。
【請求項９】
前記２次元コードが保存する情報は、該２次元コードを提供者のみがデコード可能な情報を有することを特徴とする請求項１乃至８いずれかに記載の２次元コードを利用した情報管理システム。
【請求項１０】
２次元コードを利用した情報管理システムに於ける情報を管理する管理サーバであって、
前記携帯端末に対しては、
該携帯端末から送信される２次元コードからデコードされた情報を受信する２次元コード情報受信手段と、
前記２次元コード情報受信手段に於いて受信した前記情報を所定の規則に従って処理を行う情報処理手段と、
前記情報処理手段に於いて処理された情報を保存する情報保存手段と、
前記携帯端末から送信される要求を受信する携帯端末要求受信手段と、
前記携帯端末要求受信手段に於いて、受信された前記携帯端末からの要求に応じて、前記情報保存手段に於いて保存された情報を選択し該携帯端末へ送信する第１処理情報送信手段とを有する一方で、
前記２次元コードを提供する提供者が有する提供者サーバに対して、
前記提供者サーバから送信される管理サーバに対する要求を受信する提供者サーバ要求受信手段と、
前記提供者サーバ要求受信手段に於いて、受信された前記提供者サーバからの要求に応じて、前記情報保存手段に於いて保存された情報を選択し該提供者サーバへ送信する第２処理情報送信手段とを有する
ことを特徴とする２次元コードを利用した情報管理システムの管理サーバ。
【発明の詳細な説明】
【０００１】
【発明の属する技術分野】
本発明は、２次元コードを利用した情報管理システムに関し、より詳しくは、２次元コードに商品等の情報を格納させることによって、商品購入者は日常よく使用する携帯端末を使用して容易に商品等のポイントを貯蓄することができると共に、２次元コード提供者は容易に２次元コードが付与された商品等の販売状況等の情報を容易に管理することができる情報管理システムに関する。
【０００２】
【従来の技術】
従来、商品やサービスに付与されるポイント等は、その商品が販売される小売販売店が独自に決めたポイント制度を基にして顧客に付与されるため、製造業者が直接ポイント制度に関わることはできなかった。
そのため、小売販売店はポイント制度を利用して顧客の情報を収集することができるが、製造業者は商品に関する顧客の情報を収集できないという問題点があった。
また、製造業者が顧客情報を得る方法として、ユーザー登録を葉書のような郵便で行う方法が利用されているが、葉書を書くには手間がかかるために、商品を購入した顧客が葉書等の郵便を製造業者に送付せず、製造業者は思うように顧客情報が収集できないという問題点があった。
そのため、顧客が容易に製造業者に情報を送れるように、バーコードを利用してユーザー登録を容易に行わせる発明が創出されている（例えば、特許文献１参照。）。
しかしながら、特許文献１の発明では、ユーザー登録を行うために、バーコード読み取り装置などの機器を準備する必要が生じ反って費用や手間が必要になる問題が生じていた。
【０００３】
現在では、２次元コードのような２次元コードによって必要な情報を格納しておき、カメラ付きの携帯電話等を利用することによって、情報をホームページ上から読み出す発明が創出されている（例えば、特許文献２参照。）。
しかしながら、この特許文献２の発明は、使用者にとって必要な情報が格納されているホームページなどのアドレスが保存されているに過ぎず、購入者が情報を引き出すためにしか利用されていなかった。
【０００４】
【特許文献１】
特開２００２−１３３３２５号公報
【特許文献２】
特開２００２−２０２７８４号公報
【０００５】
【発明が解決しようとする課題】
本発明は、このような実情に鑑みてなされたもので、２次元コードに商品等の情報を格納させることによって、商品購入者は日常よく使用する携帯端末を使用し２次元コードをデコードすることによって、容易に管理サーバに送信を行い商品等のポイントを貯蓄することができると共に、製造業者である２次元コード提供者は２次元コードが付与された商品等の販売状況等の顧客情報を容易に収集することができると共に販売促進の方法として利用することができる情報管理システムを提供する。
【０００６】
【課題を解決するための手段】
請求項１記載の発明は、２次元コードを利用した情報管理システムであって、情報を管理する管理サーバと、前記２次元コードの情報を該管理サーバへ送信する携帯端末と、該２次元コードを提供する提供者が有する提供者サーバと、該管理サーバ、該携帯端末と該提供者サーバを接続する通信ネットワークから構成され、前記管理サーバが、該携帯端末から送信される２次元コードからデコードされた情報を受信する２次元コード情報受信手段と、前記２次元コード情報受信手段に於いて受信した前記情報を所定の規則に従って処理を行う情報処理手段と、前記情報処理手段に於いて処理された情報を保存する情報保存手段と、前記携帯端末から送信される要求を受信する携帯端末要求受信手段と、前記携帯端末要求受信手段に於いて、受信された前記携帯端末からの要求に応じて、前記情報保存手段に於いて保存された情報を選択し該携帯端末へ送信する第１処理情報送信手段とを有する一方で、前記２次元コードを提供する提供者が有する提供者サーバに対して、前記提供者サーバから送信される前記管理サーバに対する要求を受信する提供者サーバ要求受信手段と、前記提供者サーバ要求受信手段に於いて、受信された前記提供者サーバからの要求に応じて、前記情報保存手段に於いて保存された情報を選択し該提供者サーバへ送信する第２処理情報送信手段とを有することを特徴とする２次元コードを利用した情報管理システムを提供する。
請求項２記載の発明は、前記管理サーバは、前記情報処理手段に於いて処理された情報を判定し、所定条件を満たす情報を送信した前記携帯端末へ特定情報を送信する判定送信手段を有することを特徴とする請求項１記載の２次元コードを利用した情報管理システムを提供する。
【０００７】
請求項３記載の発明は、前記管理サーバは、該管理サーバが受信した２次元コードの情報の使用可否を判定する適応判定手段を有していることを特徴とする請求項１又は２に記載の２次元コードを利用した情報管理システムを提供する。
請求項４記載の発明は、前記管理サーバは、前記管理サーバが受信した２次元コードの情報を再度受信した際に、再度受信した情報を無効にする正誤判定手段を有していることを特徴とする請求項１乃至３いずれかに記載の２次元コードを利用した情報管理システムを提供する。
請求項５記載の発明は、前記管理サーバは、前記携帯端末の該管理サーバへアクセスすることによって、前記携帯端末から２次元コードからデコードされた情報を送信することを可能にする送信手段が送信されることを特徴とする請求項１乃至４いずれかに記載の２次元コードを利用した情報管理システムを提供する。
【０００８】
請求項６記載の発明は、前記携帯端末がカメラ付き携帯電話器であることを特徴とする請求項１乃至５いずれかに記載の２次元コードを利用した情報管理システムを提供する。
請求項７記載の発明は、前記２次元コードが保存する情報は、該２次元コードを提供する提供者を識別することを可能にする識別番号と、該２次元コードが付与されている物を識別する商品番号と、前記正誤判定手段に於いて使用される認証番号と、該物に対するポイント情報を有することを特徴とする請求項１乃至６いずれかに記載の２次元コードを利用した情報管理システムを提供する。
請求項８記載の発明は、前記２次元コードが保存する情報は、前記適応判定手段に於いて使用される適応番号を有することを特徴とする請求項１乃至７いずれかに記載の２次元コードを利用した情報管理システムを提供する。
請求項９記載の発明は、前記２次元コードが保存する情報は、該２次元コードを提供者のみがデコード可能な情報を有することを特徴とする請求項１乃至８いずれかに記載の２次元コードを利用した情報管理システムを提供する。
請求項１０記載の発明は、２次元コードを利用した情報管理システムに於ける情報を管理する管理サーバであって、前記携帯端末に対しては、該携帯端末から送信される２次元コードからデコードされた情報を受信する２次元コード情報受信手段と、前記２次元コード情報受信手段に於いて受信した前記情報を所定の規則に従って処理を行う情報処理手段と、前記情報処理手段に於いて処理された情報を保存する情報保存手段と、前記携帯端末から送信される要求を受信する携帯端末要求受信手段と、前記携帯端末要求受信手段に於いて、受信された前記携帯端末からの要求に応じて、前記情報保存手段に於いて保存された情報を選択し該携帯端末へ送信する第１処理情報送信手段とを有する一方で、前記２次元コードを提供する提供者が有する提供者サーバに対して、前記提供者サーバから送信される管理サーバに対する要求を受信する提供者サーバ要求受信手段と、前記提供者サーバ要求受信手段に於いて、受信された前記提供者サーバからの要求に応じて、前記情報保存手段に於いて保存された情報を選択し該提供者サーバへ送信する第２処理情報送信手段とを有することを特徴とする２次元コードを利用した情報管理システムの管理サーバを提供する。
これらの発明を提供することで上記課題を悉く解決する。
【０００９】
【発明の実施の形態】
本発明の実施の形態について図面を参照しつつ説明する。
本発明の２次元コードを利用した情報管理システムの構成について説明する。
図１は、本発明に係る概略構成図を示す。
図２は、本発明に係るシステム概略図を示す。
本発明に係る２次元コードを利用した情報管理システム（１）は、情報を管理する管理サーバ（２）と、２次元コード（５）を読み込むことができる携帯端末（３）と、２次元コード（５）を提供する２次元コード提供者が有する提供者サーバ（４）と、管理サーバ（２）、携帯端末（３）及び提供者サーバ（４）を通信可能に接続する通信ネットワーク（６）から構成される。
【００１０】
本発明に係る管理サーバ（２）は、携帯端末（３）に対して、２次元コード情報受信手段（２１）と、情報処理手段（２２）と、情報保存手段（２３）と、判定送信手段（２４）と、適応判定手段（２５ａ）と、正誤判定手段（２５ｂ）と、携帯端末要求受信手段（２６）と、第１処理情報送信手段（２７）とを有する一方で、提供者サーバ（４）に対して、提供者サーバ要求受信手段（２８）と、第２処理情報送信手段（２９）とを有している。
尚、本明細書中に書かれた「要求」という文言は、管理サーバ（２）に於いて保存された情報のデータを検索、選別、閲覧するような情報を操作することを指す。
【００１１】
図３は、本発明に係る管理サーバと携帯端末に関するブロック線図を示す。
２次元コード情報受信手段（２１）は、携帯端末（３）から送信される２次元コード（５）からデコードされた情報を管理サーバ（２）が受信する手段である。
情報処理手段（２２）は、２次元コード情報受信手段（２１）に於いて管理サーバ（２）が受信した情報を所定の規則に従って処理を行う手段である。
情報処理手段（２２）で行われる所定の規則は、携帯端末（３）から送信される２次元コード（５）からデコードされた情報の内容に従って処理が実行される。
所定の規則として設けられる規則は、先ず情報の送信元である携帯端末（３）を特定（識別）し、次いで、２次元コードからデコードされた後述するポイント等の情報を計算し処理する規則が設けられる。
【００１２】
情報保存手段（２３）は、情報処理手段（２２）に於いて処理された情報を保存する手段である。
この情報保存手段（２３）に於いて処理される情報は、情報処理手段（２２）に於いて携帯端末（３）が識別されているので、携帯端末（３）毎に、２次元コードからデコードされた情報を保存する手段である。
この情報保存手段（２３）に於いて情報が保存される際に、情報が保存された日時も併せて保存させることが好ましい。
日時も併せて情報保存手段（２３）に於いて保存されるので、携帯端末（３）から送信された日時を特定することができるからである。
【００１３】
判定送信手段（２４）は、情報処理手段（２２）に於いて処理された情報を判定し、所定条件を満たす情報を送信した前記携帯端末へ特定情報を送信する手段である。
この判定送信手段（２４）に於ける判定は、携帯端末（３）から送信される２次元コードからデコードされた情報に於いて、予め所定条件を設定しておき、この所定条件を満たす送信を行った携帯端末（３）を選出する。
この予め設定される所定条件は、特に限定されず、管理サーバ（２）の管理者又は提供者サーバ（４）を管理する２次元コード提供者が自由に設定すればよい。
設定される所定条件は、特に限定されず、例えばある商品を購入した２５歳以上の男性というように設定すればよい。
この所定条件を満たす携帯端末（３）へ送信する特定情報の内容は、特に限定されず、管理サーバ（２）の管理者又は提供者サーバ（４）の管理者が任意に決定すればよい。
携帯端末（３）へ送信される情報としては、例えば、所定条件を満たす携帯端末（３）へ、新商品等の広告を送信することが考えられる。
【００１４】
適応判定手段（２５ａ）は、情報処理手段（２２）に於いて管理サーバ（２）が受信した２次元コード（５）の情報を受信した場合に、本発明の情報管理システム（１）に於いて使用可否を判定する手段である。
この適応判定手段（２５ａ）の２次元コード（５）の情報を受信し使用の可否を判定する方法は、特に限定されないが、２次元コード（５）に後述する適応番号を設けることによって、この適用番号を識別することでこの情報管理システム（１）での使用可否を判定すればよい。
尚、判定した結果、適応不可と判定された２次元コード（５）の情報を送信した携帯端末（３）へ２次元コードの情報がこの情報管理システム（１）に適応不可である旨を返送するように設定してもよい。
【００１５】
正誤判定手段（２５ｂ）は、管理サーバ（２）が受信した２次元コード（５）の情報を再度受信した際に、再度受信した情報を無効にする手段である。
この正誤判定手段（２５ｂ）によって、２次元コード（５）をデコードして携帯端末（３）から送信する際に、一度利用した２次元コードは再度利用することを防止することができる。
この正誤判定手段（２５ｂ）の２次元コード（５）を判定する方法は、特に限定されないが、後述する２次元コード（５）に格納される情報に２次元コード（５）毎に認証番号を付与することが好ましい。
２次元コード（５）毎に認証番号が付与されることによって、管理サーバ（２）に一度２次元コード（５）の情報が送信されると、この２次元コード（５）の認証番号を管理サーバ（２）に保存させておき、再度同じ２次元コード（５）が送信された際に判定することができるからである。
再度２次元コード（５）が送信された際には、直ちに管理サーバ（２）から一度送信された２次元コード（５）を送信した旨を携帯端末（３）に送信する。
上記した正誤判定手段（２５ｂ）を有することにより、２次元コード（５）が再度不正使用されることがない安全性が確保されるシステムとなる。
【００１６】
携帯端末要求受信手段（２６）は、携帯端末（３）から送信される要求を受信する手段である。
携帯端末要求受信手段（２６）に於ける携帯端末（３）から送信される要求の内容は、特に限定されないが、携帯端末（３）の使用者が２次元コード（５）に格納される情報を送信し、２次元コード（５）に付与されている後述するようなポイント等を貯蓄する場合に於ける現在のポイント情報（例えば、現在の累計ポイント）を通知するための要求や、２次元コード（５）が付与された商品等の情報を知り得るための要求がある。
この要求には、上記した以外に、特定の商品に関するイベント情報等の案内を送信するよう要求することも考えられる。
この携帯端末（３）から送信される要求を使用者が作成する方法は、特に限定されないが、管理サーバ（２）から要求を作成するアプリケーションを携帯端末（３）にダウンロードする方法が好ましい。
携帯端末（３）からダウンロードして要求を作成することによって、このダウンロードしたアプリケーションに従って容易に作成することできるからである。
【００１７】
第１処理情報送信手段（２７）は、携帯端末要求受信手段（２６）に於いて、受信された携帯端末（３）からの要求に応じて、情報保存手段（２３）に於いて保存された情報を選択し携帯端末（３）へ送信する手段である。
携帯端末要求受信手段（２６）で受信された要求、例えば、携帯端末（３）の使用者が自らの累計ポイントを知りたい旨の通知を行うのであれば、この携帯端末（３）を選別し、この携帯端末（３）の使用者の累計ポイントを情報保存手段（２３）から検索し、要求を送信した携帯端末（３）へ返送することになる。
本発明の管理サーバ（２）は、所定条件（例えば、予め設定しておいたポイントを貯める）を満たした携帯端末（２）には、その旨を通知する通知手段（図示せず）を有することが好ましい。
この通知手段を有することで、使用者は、ポイントが貯まった際には、景品交換時期を使用者が知ることができるからである。
尚、使用者の登録をする時期は、特に限定されず、上記したポイントの交換を行う際に使用者の登録を管理サーバ（２）に行うようにしておいても構わない。
【００１８】
本発明に係る管理サーバ（２）は、提供者サーバ（４）に対して、提供者サーバ要求受信手段（２８）と、第２処理情報送信手段（２９）とを有している。
図４は、本発明に係る管理サーバと提供者サーバに関するブロック線図を示す。
この提供者サーバ要求受信手段（２８）は、提供者サーバ（４）から送信される要求を受信する手段である。
この提供者サーバ要求受信手段（２８）は、提供者サーバ（４）から送信される２次元コード提供者が自ら付与した２次元コードの商品等の情報を提供者サーバへ送信することを促す要求を受信する手段である。
提供者サーバ要求手段（２８）に於ける提供者サーバ（４）から送信される要求の内容は、提供者サーバ（４）の提供者が、管理サーバ（２）に保存されている提供者が所望する情報を引き出すことが記載される。
例えば、商品に関する購買層や購買量等の商品に関する情報を引き出すことができる。
この提供者が所望する情報を引き出すことができる要求の作成方法は、特に限定されず、管理サーバ（２）と提供者サーバ（４）とをＩＰ−ＶＰＮ等の専用回線で接続し、管理サーバ（２）に保存された情報に直接アクセスできるパスワード等を送信し、情報を閲覧できる方法や、提供者が所望する情報を取得するために必要な事項を記入して管理サーバ（２）へ送信する方法が好ましい。
【００１９】
第２処理情報送信手段（２９）は、提供者サーバ要求受信手段（２８）に於いて、受信された提供者サーバ（４）からの要求に応じて、情報保存手段（２３）に於いて保存された情報を選択し提供者サーバ（４）へ送信する手段である。
この第２処理情報送信手段（２９）が提供者が所望する情報が提供者サーバ（４）に送信されることで、提供者は商品等の情報を収集することができる。
【００２０】
本発明で利用される携帯端末（３）は、２次元コードを読み込み、上記した管理サーバ（２）に保存されるソフトウェア等のアプリケーションをダウンロードし、実行することができ、管理サーバ（２）と送受信することができる機能を有する装置であれば、特に限定されないが、カメラ付き携帯電話器であることが好ましい。
カメラ付き携帯電話器を利用することで、特別な装置を必要とすることなく容易に利用することができるからである。
カメラ付き携帯電話器が、上記した機能を有していなければ、この携帯電話器から管理サーバ（２）へアクセスすることによって、携帯端末（３）から２次元コード（５）からデコードされた情報を送信することを可能にする送信手段（３１）を取得できるようにしておけばよい。
この送信手段（３１）の取得方法は、特に限定されないが、上記した携帯端末（３）から送信される要求を使用者が作成する方法と同様に、管理サーバ（２）に送信手段（３１）を可能にするソフトウェア等のアプリケーションをダウンロードすることによって取得できるようにしておけばよい。
また、携帯端末（３）は、特に限定されないが、ＰＤＡ（Ｐｅｒｓｏｎａｌ  Ｄｉｇｉｔａｌ  Ａｓｓｉｓｔａｎｔ）のような携帯可能なデータを送受信可能な携帯端末（３）でもよい。この場合、２次元コード（５）を読み込むことのできる機能（例えば、カメラ機能やスキャナ機能）を有していれば構わない。
【００２１】
提供者サーバ（４）は、特に限定されないが、２次元コード提供者が有するサーバである。
この提供者サーバ（４）は、管理サーバ（２）とインターネット等の一般通信回線を介して接続されてもよいし、ＩＰ−ＶＰＮのような専用回線で接続されていてもよい。
提供者サーバ（４）は、管理サーバ（２）と送受信を行うことができれば特に限定されるものではなく、管理サーバ（２）へ上記したような提供者が所望する情報を送信することができるとともに受信することができる機能を有している必要がある。
【００２２】
本発明で使用される２次元コード（５）は、２次元コード（５）を提供する提供者を識別することを可能にする識別番号と、２次元コード（５）が付与されている物（商品等）を識別する商品番号と、正誤判定手段（２５ｂ）に於いて使用される認証番号と、該物に対するポイント情報を有している。
識別番号は、２次元コード（５）がデコードされた後、管理サーバ（２）が２次元コードを付与された提供者を識別することができる番号や文字列であれば構わない。
商品番号は、２次元コード（５）がデコードされた後、管理サーバ（２）が２次元コードを付与された物（商品等）を識別することができる番号や文字列であれば構わない。
認証番号は、正誤判定手段（２５ｂ）に於いて再度のアクセスを禁止することができる番号や文字列であれば構わない。
尚、認証番号は、商品に対して、唯一の番号や文字列を付加させることによって利用する方法でも構わない。
ポイント情報は、２次元コード（５）が付与された物（商品等）に付加されるポイント情報であり、提供者によって任意に決定される。
【００２３】
この２次元コード（５）に格納される情報は、適応判定手段（２５ａ）に於いて利用される適応番号を有することが好ましい。
この適応番号を２次元コード（５）が有することで、上記したような適応番号によって使用可否を判定する方法を利用することによって、適応判定手段（２５ａ）での適応判定を容易に行うことが可能となる。
【００２４】
２次元コード（５）が保存する情報は、特に限定されないが、２次元コード（５）を提供者のみがデコード可能な情報を含ませても良い。
２次元コード（５）が提供者のみがデコードすることができる情報を含ませることで、提供者サーバ（４）でしかデコードできないので、２次元コード（５）の安全性を高めることができるからである。
尚、本発明で使用される２次元コードは、特に限定されないが、一般的に知れれているＱＲコードを利用することが好ましい。
以上が本発明に係る情報管理システムの構成である。
【００２５】
本発明に係る情報管理システムの作用について説明する。
先ず、携帯端末（３）から２次元コードを送信する方法について説明する。
本発明に係る情報管理システム（１）を利用するにあたって使用者は、管理サーバ（２）へ空のＥ・メールを送信しておくことが好ましい。
空のＥ・メールを管理サーバ（２）へ送信することによって、Ｅ・メールを送信した携帯端末（３）（又はカメラ付き携帯電話器）へ、このカメラ付き携帯電話器（３）を特定できると共にこの電話器（３）専用のサーバ（２）上のアドレスを作成し返送することができるからである。
図５は、本発明に係る情報管理システムのフローチャートを示す。
先ず、２次元コード（５）が付与された商品を使用者は購入する（Ｓ１）。
カメラ付きの携帯電話器（３）を使用して、管理サーバ（２）にアクセスし、２次元コード（５）を読み取ることができる（デコードして送信することができる）ソフトウェアをダウンロードする（Ｓ２）。
ソフトウェアをダウンロードし、２次元コード（５）を読み込む（撮影する）（Ｓ３）。
２次元コード（５）をデコードし、管理サーバ（２）に送信する（Ｓ４）。
【００２６】
管理サーバ（２）は、カメラ付き携帯電話器（３）から送信された２次元コード（５）からデコードされた情報を２次元コード情報受信手段（２１）によって、受信する（Ｓ５）。
受信された情報は、先ず、適応判定手段（２５ａ）に於いて、この情報管理システム（１）に於いて使用可否の判定を行う（Ｓ６）。もし、適応不可であればその旨送信したカメラ付き携帯電話器（３）に返送を行う（Ｓ７）。
次に、正誤判定手段（２５ｂ）に於いてデコードされた２次元コードの情報である認証番号が正しく使用されているか（再度使用されていないか）を判定する（Ｓ８）。
正しく使用されている場合には、判定送信手段（２４）に送られ（Ｓ９）、再度送信された情報であれば、その旨を送信したカメラ付き携帯電話器（３）に送信する（Ｓ１０）。
正しく使用され判定送信手段（２４）に送られた情報は、予め設定された所定条件を満たす送信を行ったカメラ付き携帯電話器（３）を選出し、特定情報を送信する（Ｓ１１）。
正誤判定手段（２５ｂ）で認証番号が正しく使用されたカメラ付き携帯電話器（３）からの情報は、情報処理手段（２２）へ送られ、送信したカメラ付き携帯電話器（３）に２次元コードの情報に従って処理される（Ｓ１２）。
例えば、この際、２次元コードにポイント情報が含まれていれば、携帯端末（３）毎にポイントが加算される。
情報処理手段（２２）に於いて処理された情報は、情報保存手段（２３）に於いて保存される（Ｓ１３）。
【００２７】
次に、カメラ付き携帯電話器（３）から管理サーバ（２）への情報を利用する方法を説明する。
図６は、携帯端末と管理サーバとの関係のフローチャートを示す。
一度管理サーバ（２）に２次元コード（５）の情報を送信したカメラ付き携帯電話（３）の使用者は、ダウンロードしたソフトウェア（アプリケーション）によって、所望する情報を管理サーバ（２）から引き出すための要求をソフトウェア（アプリケーション）に従って作成する（Ｓ２０）。
作成した要求（例えば、現在の累計するポイント情報を知るための要求）を管理サーバ（２）に送信する（Ｓ２１）。
管理サーバ（２）は、携帯端末要求受信手段（２６）に於いてカメラ付き携帯電話（３）からの要求を受信する（Ｓ２２）。
管理サーバ（２）は、受信した要求を処理して、使用者の所望する内容（要求）に応じて情報保存手段（２３）に於ける情報を処理する（Ｓ２３）。
第１処理情報送信手段（２７）に於いて情報を送信する（Ｓ２４）。
カメラ付き携帯電話器（３）の使用者は、管理サーバ（２）の第１処理情報送信手段（２７）によって送信される情報を受信する（Ｓ２５）。
使用者は、所望する情報を受信することになる（例えば、現在の累積ポイント情報を知ることができる）。
【００２８】
次いで、提供者サーバ（４）から管理サーバ（２）への情報を利用する方法を説明する。
図７は、管理サーバと提供者サーバとの関係のフローチャートを示す。
提供者サーバ（４）を有する提供者は、２次元コード（５）を付与した商品を提供する。
提供者は、自らの提供者サーバ（４）から所望する情報を取得するために、管理サーバ（２）へ要求を作成し送信する（Ｓ３０）。
例えば、ある商品の購買層の情報が欲しいとした場合、ある商品とこの購買層を送信するように要求を作成する。
管理サーバ（２）は、提供者サーバ要求受信手段（２８）に於いて提供者サーバ（４）からの送信を受信する（Ｓ３１）。
提供者サーバ（４）から要求を受信した管理サーバ（２）は、送信された要求に従って情報保存手段（２３）に保存された情報を検索し、選出する（Ｓ３２）。
提供者サーバ（４）から送信された要求を満たす情報は、第２処理情報送信手段（２９）に於いて、提供者サーバ（４）へと送信される（Ｓ３３）。
提供者は、提供者サーバ（４）において所望する情報を取得することができる（Ｓ３４）。
例えば、ある商品の購買層は、２０から３０代を中心に購買されている等が判る。また、もし、特定の商品購入者のみに特定の情報を送信しようとした場合には、管理サーバ（２）に特定の商品購入者をリストアップさせ、連絡先（Ｅ・メールアドレス等）を通知するように要求を作成し、管理サーバ（２）に送信すればよい。
この方法によって、提供者管理サーバ（２）を有する２次元コード提供者は、商品が小売店舗等を経由して売買されても、直接商品の売れ行きを知ることができる。
【００２９】
【発明の効果】
請求項１記載の発明によって、２次元コードに商品等の情報を格納させることによって、商品購入者は日常よく使用する携帯端末を使用し２次元コードをデコードすることによって、容易に管理サーバに送信を行い商品等のポイントを貯蓄することができると共に、製造業者である２次元コード提供者は２次元コードが付与された商品等の販売状況等の顧客情報を容易に収集することができると共に販売促進の方法として利用することができる情報管理システムを提供することができる。
【００３０】
請求項２記載の発明は、サーバが２次元コード受信時に２次元コードの種類に応じて、２次元コードを送信した携帯端末へ特定情報を送信することで、利用価値の高いと予想される相手に情報を提供することができる情報管理システムを提供することができる。
【００３１】
請求項３記載の発明は、２次元コード情報が送信された際に、本発明の情報管理システムに使用可否の判定をすることができるので、信頼性の高い情報管理システムを提供することができる。
【００３２】
請求項４記載の発明は、一度使用された２次元コードの情報は、再度利用することができないので、セキュリティーの高い情報管理システムを提供することができる。
【００３３】
請求項５記載の発明は、２次元コードを利用するアプリケーション（ソフトウェア）をダウンロードさせることで、２次元コードを利用することを可能にするので、余計な費用がかからず利便性の面に於いて優れている情報管理システムを提供することができる。
【００３４】
請求項６記載の発明は、使用者が、カメラ付き携帯電話器を使用することによって、特殊な装置を準備する必要がない情報管理システムを提供することができる。
【００３５】
請求項７記載の発明は、２次元コードが識別番号、商品番号、認証番号及びポイント情報を保存することによって、商品を管理することが容易になると共に、情報を検索したり、選出したりすることを容易に行うことができる情報管理システムを提供することができる。
【００３６】
請求項８記載の発明は、２次元コードに適応番号を保存させることによって、適応判定手段に於ける処理を容易に且つ迅速に行うことが可能になる。
【００３７】
請求項９記載の発明は、２次元コードが２次元コード提供者のみがデコード可能な情報を有することで、安全性の高い情報管理システムを提供することができる。
【００３８】
請求項１０記載の発明は、２次元コードに商品等の情報を格納させることによって、商品購入者は日常よく使用する携帯端末を使用し２次元コードをデコードすることによって、容易に管理サーバに送信を行い商品等のポイントを貯蓄することができると共に、製造業者である２次元コード提供者は２次元コードが付与された商品等の販売状況等の顧客情報を容易に収集することができると共に販売促進の方法として利用することができる情報管理システムの管理サーバを提供することができる。
【図面の簡単な説明】
【図１】本発明に係る概略構成図を示す。
【図２】本発明に係るシステム概略図を示す。
【図３】本発明に係る管理サーバと携帯端末に関するブロック線図を示す。
【図４】本発明に係る管理サーバと提供者サーバに関するブロック線図を示す。
【図５】本発明に係る情報管理システムのフローチャートを示す。
【図６】携帯端末と管理サーバとの関係のフローチャートを示す。
【図７】管理サーバと提供者サーバとの関係のフローチャートを示す。
【符号の説明】
１・・・・・・・情報管理システム
２・・・・・・・管理サーバ
３・・・・・・・携帯端末（カメラ付き携帯電話器）
４・・・・・・・提供者サーバ
５・・・・・・・２次元コード
２１・・・・・・２次元コード情報受信手段
２２・・・・・・情報処理手段
２３・・・・・・情報保存手段
２４・・・・・・判定送信手段
２５ａ・・・・・適応判定手段
２５ｂ・・・・・正誤判定手段
２６・・・・・・携帯端末要求受信手段
２７・・・・・・第１処理情報送信手段
２８・・・・・・提供者サーバ要求受信手段
２９・・・・・・第２処理情報送信手段
３１・・・・・・送信手段
【図１】
2004318203.tif 000003
【図２】
2004318203.tif 000004
【図３】
2004318203.tif 000005
【図４】
2004318203.tif 000006
【図５】
2004318203.tif 000007
【図６】
2004318203.tif 000008
【図７】
2004318203.tif 000009